(57)【要約】【課題】  無線タグを用いて物流管理を効率的に行うことを目的とする。【解決手段】  物流管理の対象となる物品４の提供ルートに設けられ、当該物品４に付与されている無線タグ５と通信可能な所定の通信エリアＡ〜Ｄ内で通信を行う複数の無線タグ用読取装置３と、各無線タグ用読取装置３に通信ネットワーク２を介して接続された物流管理装置１とを備えている。そして、物流管理装置１は、通信エリアＡ〜Ｄに分類された物品ＩＤごとの物品４の利用料を通信エリア別課金データベースに管理する。また、物流管理装置１は、無線タグ用読取装置３と無線タグ６との通信状況を示す通信履歴情報（通信開始時間，通信終了時間）を通信エリアＡ〜Ｄの別に通信エリア別通信履歴データベースに管理する。さらに、物流管理装置１は、監視用端末６からの要求を受けて、前記した物品４の利用料又は通信履歴情報の少なくとも一方の情報を通信エリアＡ〜Ｄの別に監視用端末６に送信する。【選択図】      図１
2006103846.tif 000002
【特許請求の範囲】
【請求項１】
物流管理の対象となる物品の提供ルートに設けられ、当該物品に付与されている無線タグと通信可能な所定の通信エリア内で通信を行う複数の無線タグ用読取装置と、前記各無線タグ用読取装置に通信ネットワークを介して接続された物流管理装置とを備えた物流管理システムであって、
前記無線タグ用読取装置は、
前記通信エリア内における前記無線タグとの通信により、その無線タグに予め記録されている当該物品の識別情報を読み込み、前記読み込んだ識別情報ごとに、前記無線タグとの通信状況を示す通信履歴情報を保存するとともに、
前記読み込んだ識別情報ごとに、前記無線タグを付与している当該物品の利用者に課すべき利用料を予め設定された課金条件に基づいて課金し、
前記読み込んだ識別情報ごとに、前記課金した利用料と前記保存した通信履歴情報とを、前記物流管理装置に前記通信ネットワークを介して送信し、
前記物流管理装置は、
前記所定の通信エリア内で通信を行った無線タグ用読取装置から送信されてきた前記識別情報ごとの前記利用料と前記通信履歴情報とを前記通信エリアの別に管理し、
外部装置からの要求を受けて、前記管理した前記識別情報ごとの前記利用料又は前記通信履歴情報の少なくとも一方の情報を前記通信エリアの別に前記外部装置に送信する
ことを特徴とする物流管理システム。
【請求項２】
前記無線タグ用読取装置は、
前記物品の識別情報を初回に読み込んだときにのみ前記利用料を課金することを特徴とする請求項１に記載の物流管理システム。
【請求項３】
前記通信履歴情報には、前記無線タグとの通信を開始した通信開始時間とその通信を終了した通信終了時間とが含まれており、
前記無線タグ用読取装置は、
前記利用料を課金するに際し、前記通信履歴情報に含まれている通信開始時間と前記通信終了時間との時間差で示される通信時間に応じて前記利用料を課金することを特徴とする請求項１に記載の物流管理システム。
【請求項４】
前記無線タグ用読取装置は、
前記利用料を課金するに際し、前記無線タグとの通信を新たに開始した回数に応じて前記利用料を課金することを特徴とする請求項１に記載の物流管理システム。
【請求項５】
物流管理の対象となる物品の提供ルートに設けられ、当該物品に付与されている無線タグと所定の通信エリア内で通信を行う無線タグ用読取装置であって、
前記通信エリア内における前記無線タグとの通信により、その無線タグに予め記録されている当該物品の識別情報を読み込む読取部と、
前記読取部における読み込み状況から、前記無線タグとの通信状況を判定する通信状況判定部と、
前記読取部により読み込まれた識別情報ごとに、前記無線タグを付与している当該物品の利用者に課すべき利用料を予め設定された課金条件に基づいて課金する課金処理部と、
前記読取部により読み込まれた前記識別情報ごとに、前記通信状況判定部により判定された前記通信状況を示す通信履歴情報と、前記課金処理部により課金された前記利用料とを保存する情報保存部と、
前記情報保存部に保存されている前記識別情報ごとの前記通信履歴情報と前記利用料とを、前記物流管理装置に前記通信ネットワークを介して送信する送信部と
を備えたことを特徴とする無線タグ用読取装置。
【請求項６】
請求項５に記載の無線タグ用読取装置の送信部から送信された前記識別情報ごとの前記利用料と前記通信履歴情報とを、前記無線タグ用読取装置が通信を行う前記通信エリアの別に管理する記憶装置と、
外部装置からの要求を受けて、前記記憶装置から読み出した前記識別情報に関連付けられた前記利用料又は前記通信履歴情報の少なくとも一方の情報を前記通信エリアの別に前記外部装置に送信する処理装置と
を備えたことを特徴とする物流管理装置。
【請求項７】
物流管理の対象となる物品の提供ルートに設けられ、当該物品に付与されている無線タグと通信可能な所定の通信エリア内で通信を行う複数の無線タグ用読取装置と、前記各無線タグ用読取装置に通信ネットワークを介して接続された物流管理装置とを備えた物流管理システムにおける物流管理方法であって、
前記無線タグ用読取装置は、
前記通信エリア内における前記無線タグとの通信により、その無線タグに予め記録されている当該物品の識別情報を読み込むステップと、
前記読み込んだ識別情報ごとに、前記無線タグとの通信状況を示す通信履歴情報を保存するステップと、
前記読み込んだ識別情報ごとに、前記無線タグを付与している当該物品の利用者に課すべき利用料を予め設定された課金条件に基づいて課金するステップと、
前記読み込んだ識別情報ごとに、前記課金した使用料と前記保存した通信履歴情報とを、前記物流管理装置に前記通信ネットワークを介して送信するステップとを実行し、
前記物流管理装置は、
前記所定の通信エリア内で通信を行っている前記無線タグ用読取装置から送信されてきた前記識別情報ごとの前記利用料と前記通信履歴情報とを前記通信エリアの別に管理するステップと、
外部装置からの要求を受けて、前記管理した前記識別情報ごとの前記利用料又は前記通信履歴情報の少なくとも一方の情報を前記通信エリアの別に前記外部装置に送信するステップと
を実行することを特徴とする物流管理方法。
【発明の詳細な説明】
【技術分野】
【０００１】
本発明は、物流管理システムに係り、特に、無線タグを用いて物流の管理を行う物流管理システムに関するものである。
【背景技術】
【０００２】
従来、管理対象となる物品（パレットなど）に貼り付けられている無線タグと通信を行うことにより、その物品が所在する現在位置を特定し、特定した物品の位置を端末装置に案内して物流管理を行う方法がある（例えば、特許文献１）。
【特許文献１】特開２００４−９９２７６号公報（段落００１２−００１６、図１）
【発明の開示】
【発明が解決しようとする課題】
【０００３】
しかしながら、特許文献１に開示された方法では、物品の現在位置を案内するものの、その物品が提供されてきた流通経路を案内することができなかった。また、管理対象となる物品が課金の対象でもある場合、その物品の利用者に課すべき利用料を課金することができなかった。このため、物流管理を効率的に行うことができないという不都合があった。
【０００４】
そこで、本発明は、前記の課題を解決するためになされたものであり、その目的は、物流管理を効率的に行うことができる物流管理システム、物流管理装置および物流管理方法並びに無線タグ用読取装置を提供することである。
【課題を解決するための手段】
【０００５】
前記課題を解決するために本発明は、物流管理の対象となる物品の提供ルートに設けられ、当該物品に付与されている無線タグと通信可能な所定の通信エリア内で通信を行う複数の無線タグ用読取装置と、前記各無線タグ用読取装置に通信ネットワークを介して接続された物流管理装置とを備える。そして、前記無線タグ用読取装置は、前記通信エリア内における前記無線タグとの通信により、その無線タグに予め記録されている当該物品の識別情報を読み込み、前記読み込んだ識別情報ごとに、前記無線タグとの通信状況を示す通信履歴情報を保存する。さらに、前記無線タグ用読取装置は、前記読み込んだ識別情報ごとに、前記無線タグを付与している当該物品の利用者に課すべき利用料を予め設定された課金条件に基づいて課金し、前記読み込んだ識別情報ごとに、前記課金した使用料と前記保存した通信履歴情報とを、前記物流管理装置に前記通信ネットワークを介して送信する。また、前記物流管理装置は、前記所定の通信エリア内で通信を行った無線タグ用読取装置から送信されてきた前記識別情報ごとの前記利用料と前記通信履歴情報とを前記通信エリアの別に管理し、外部装置からの要求を受けて、前記管理した前記識別情報ごとの前記利用料又は前記通信履歴情報の少なくとも一方の情報を前記通信エリアの別に前記外部装置に送信する。
【発明の効果】
【０００６】
本発明によると、無線タグを用いて物流管理を効率的に行うことができる。
【発明を実施するための最良の形態】
【０００７】
図１は、本発明の実施の形態に係る物流管理システムを示すブロック図である。ここでは、課金の対象でもあるビール樽の物流管理を行う場合を例にして説明する。
図１において、物流管理システムは、物流管理装置１と複数の無線タグ用読取装置３とを備えている。これを詳述すると、物流管理装置１は、インターネット等の通信ネットワーク２を介して、各無線タグ用読取装置３に接続されている。
各無線タグ用読取装置３は、例えば、ビールの販売店等（以下単に「販売店」という。）に設置され、後記する無線タグ５と通信可能な通信エリアＡ，Ｂ，Ｃ，Ｄを有している。なお、販売店では、ビール樽の管理者（ビール会社など）と取引契約を結ぶことにより、ビール樽のビールを顧客等に提供することが可能となる。
【０００８】
符号４は、前記したビール樽である物品を示している。この物品４は、無線タグ５に取り付けられたままの状態で、前記した通信エリアＡ〜Ｄにある販売店、すなわち物品４の利用者にそれぞれ提供される。無線タグ５にはＩＣチップが搭載されており、このＩＣチップには、物品４に固有の物品ＩＤ（物品４の識別情報）が予め記録されている。なお、図１では、１つの物品４の提供ルート（流通経路）のみが記載されているが、実際には複数の物品４の提供ルートが多数存在する。
【０００９】
また、物流管理装置１には、通信ネットワーク２を介して、監視用端末（外部装置）６が接続されている。監視用端末６は、例えばパーソナルコンピュータであり、マウス等の入力装置と、コンピュータディスプレイ等の表示装置と、メモリ等の記憶装置と、ＣＰＵ等の処理装置とを含む一般的な構成となっている。この監視用端末６は、例えばビール樽の管理者に利用される。以下、物流管理装置１および無線タグ用読取装置３の構成について順を追って詳述する。
【００１０】
図２は、物流管理装置１の構成を示すブロック図である。図２において、物流管理装置１は、例えばサーバ装置であり、通信インターフェース１０、記憶装置１１およびこれらを制御する処理装置１２を有している。通信インターフェース１０は、ネットワークインターフェース等であり、記憶装置１１は、メモリ、ハードディスク等である。
処理装置１２は、ＣＰＵ等であり、物流管理装置１に組み込まれている物流管理プログラムにしたがって動作するようになっている。前記した物流管理プログラムは、記憶装置１１の所定領域にあらかじめ格納されていてもよいし、ＣＤ−ＲＯＭ等のコンピュータ読み取り可能な記録媒体から読み込まれてもよい。
【００１１】
記憶装置１１は、通信エリア別通信履歴データベース１１１と、通信エリア別課金データベース１１２とを有している。通信エリア別通信履歴データベース１１１には、図３（Ａ）に示すように、前記した物品４の物品ＩＤごとの通信開始時間（年月日、時刻を含む。以下同じ。）ｄ１および通信終了時間（年月日、時刻を含む。以下同じ。）ｄ２が、図１に示した通信エリアＡ〜Ｄの別に管理されている。通信開始時間ｄ１とは、前記した無線タグ５と無線タグ用読取装置３との通信が開始した時間を指し、通信終了時間ｄ２とは、無線タグ５と無線タグ用読取装置３との通信が終了した時間を指す。これらの時間ｄ１，ｄ２は、後記する無線タグ用読取装置３によって特定されるので、詳細は後記する。なお、前記した通信開始時間ｄ１と通信終了時間ｄ２とにより、各無線タグ用読取装置３と無線タグ５との通信状況を把握することが可能となるので、本実施の形態においては、これらの時間ｄ１，ｄ２を通信履歴情報という。
また、エリア別課金データベース１１２には、図３（Ｂ）に示すように、前記した物品４の物品ＩＤごとの利用料ｄ３が、図１に示した通信エリアＡ〜Ｄの別に管理されている。利用料ｄ３とは、物品４の利用者に課すべき利用料である。ここでは、ビール樽の利用料を想定している。
【００１２】
図４は、無線タグ用読取装置３の構成を示すブロック図である。図４において、無線タグ用読取装置３は、読取部３１、通信状況判定部３２および通信履歴情報保存部（情報保存部）３３を有している。また、無線タグ用読取装置３は、課金処理部３４、課金情報保存部（情報保存部）３５および送信部３６も有している。
読取部３１は、例えばアンテナであり、無線タグ５との通信により、無線タグ５に記録されている物品ＩＤを読み込むようになっている。
通信状況判定部３２は、読取部３１における物品ＩＤの読み込み状況から、無線タグ５と読取部３１との通信状況を判定し、その結果を示す通信履歴情報を通信履歴情報保存部３３に保存するようになっている。通信履歴情報は、図３（Ａ）に示した通信開始時間ｄ１および通信終了時間ｄ２である。これを詳述する。
【００１３】
まず、読取部３１において、物品４の無線タグ５に記録されている物品ＩＤの読み込みが開始されると、通信状況判定部３２は、無線タグ５との通信を開始したと判定し、そのときの時間、すなわち通信開始時間ｄ１を通信履歴情報保存部３３に保存する。保存される通信開始時間ｄ１は、読取部３１により読み込まれた物品ＩＤに関連付けられる。なお、通信履歴保存部３３は、メモリ等の記憶装置である。
そして、読取部３１において、物品ＩＤの読み込みが終了すると、通信状況判定部３２は、無線タグ５との通信を終了したと判定し、そのときの時間、すなわち通信終了時間ｄ２をその物品ＩＤごとに通信履歴情報保存部３３に保存する。
【００１４】
ここで、通信状況判定部３２における具体的な処理を図５（Ａ）（Ｂ）を参照して説明する。
例えば図５（Ａ）に示す移動ルートに従って物品４が移動する場合、その物品４が図５（Ａ）に示した「ＩＮ」の位置に移動したときに、通信状況判定部３２は、その物品４の無線タグ５との通信を開始したと判定し、そのときの時間を通信開始時間ｄ１として通信履歴情報保存部３３に保存する。そして、図５（Ａ）に示した「ＯＵＴ」の位置に物品４が移動したときに、通信状況判定部３２は、その無線タグ５との通信を終了したと判定し、そのときの時間を通信終了時間ｄ２として通信履歴情報保存部３３に保存する。つまり、通信履歴情報保存部３３では、物品４が通信エリアＡを出入りした時間を保存するようになっている。
したがって、図５（Ｂ）に示すように、物品４が通信エリアＡを２回出入りした場合（同図（Ｂ）の「ＩＮ」「ＯＵＴ」を参照）、通信状況判定部３２は、物品４が通信エリアＡを出入りするたびに、通信開始時間ｄ１あるいは通信終了時間ｄ２を通信履歴情報保存部３３に保存することになる。
【００１５】
図４に戻って、課金処理部３４は、通信状況判定部３２により判定された結果から、物品４の利用者に課すべき利用料ｄ３を予め設定された課金条件に基づいて課金する。この課金条件は、利用料ｄ３を課金するためのルールであり、ここでは、例えば定額料金が含まれているものとする。なお、課金処理の詳細は後記の図６で詳述する。
そして、課金処理部３４は、課金した利用料ｄ３を課金情報保存部３５に保存するようになっている。保存される利用料ｄ３は、物品ＩＤに関連付けられる。なお、課金情報保存部３５は、メモリ等の記憶装置である。
【００１６】
送信部３６は、所定のタイミング（例えば予め設定された時間）で、通信履歴情報保存部３３から読み出した物品ＩＤごとの通信開始時間ｄ１と通信終了時間ｄ２とを物流管理装置１に送信する。また、この送信部３６は、所定のタイミングで、課金情報保存部３５から読み出した物品ＩＤごとの利用料ｄ３を物流管理装置１に送信するようになっている。
【００１７】
［無線タグ用読取装置での全体処理］
次に、図１に示した通信エリアＡの無線タグ用読取装置３における全体的な処理を図６に基づいて説明する。ここでは、通信エリアＡについて説明するが、他の通信エリアＢ〜Ｄについても同様である。
図６は、無線タグ用読取装置３における全体的な処理を示す処理手順である。ここでは、図５（Ａ）に示した移動ルートに従い、無線タグ５を取り付けた物品４が移動する場合を例にして説明する。
【００１８】
まず、図５（Ａ）に示した「ＩＮ」の位置に物品４が移動すると、図４に示した読取部３１が、物品４の無線タグ５から、その物品ＩＤの読み込みを開始する。そうすると、通信状況判定部３２は、無線タグ５との通信状況を判定し、無線タグ５との通信が開始されたと判定する（Ｓ１０の「開始」の場合）。そして、通信状況判定部３２は、そのときの時間、すなわち通信開始時間ｄ１を、読取部３１で読み込まれた物品ＩＤと関連付けて、通信履歴情報保存部３３に保存する（Ｓ１１）。
【００１９】
次に、課金処理部３４は、物品４の利用者に課すべき利用料ｄ３について、予め設定された課金条件に基づいて課金処理を行う（Ｓ１２）。課金処理では、前記した課金条件に含まれている定額料金を利用料ｄ３とする。すなわち、読取部３１により物品ＩＤが初回に読み込まれたときにのみ利用料ｄ３が課金される。
これをさらに詳述すると、課金処理部３４は、Ｓ１２で課金処理を行った利用料ｄ３を、読取部３１で読み込まれた物品ＩＤと関連付けて、課金情報保存部３５に保存する。これにより、通信エリアＡの利用者に対する物品４の利用料を徴収することが可能となる。
【００２０】
その後、読取部３１では、図５（Ａ）に示した物品４が同図（Ａ）の「ＯＵＴ」の位置に移動するまでの間、物品ＩＤを所定のタイミングで読み込むので、通信状況判定部３２は、Ｓ１０で判定した通信が継続していると判定する（Ｓ１０の「継続」の場合）。そして、図５（Ａ）の物品４が同図（Ａ）に示した「ＯＵＴ」の位置に移動すると、読取部３１では、物品ＩＤの読み込みが行えなくなり、通信状況判定部３２は、Ｓ１０で判定した当該通信が終了したと判定する（Ｓ１０の「終了」の場合）。そうすると、通信状況判定部３２は、そのときの時間、すなわち通信終了時間ｄ２を、読取部３１で読み込まれていた物品ＩＤと関連付けて、通信履歴情報保存部３３に保存する（Ｓ１３）。これにより、図５（Ａ）に示した物品４が通信エリアＡ内に存在していた時間を確認することが可能となる。
【００２１】
なお、その後、図４に示した無線タグ用読取部３の送信部３６は、所定のタイミングで、通信履歴情報保存部３３から、物品ＩＤごとの通信開始時間ｄ１と通信終了時間ｄ２とを読み出し、読み出したこれらの時間ｄ１，ｄ２を、通信ネットワーク２を介して、物流管理装置１に送信する。また、この送信部３６は、課金情報保存部３５から、物品ＩＤごとの利用料ｄ３を読み出し、通信ネットワーク２を介して、物流管理装置１に送信する。
そうすると、図２に示した物流管理装置１では、処理装置１２が、無線タグ用読取装置３の送信部３６からの送信を受けて、送信部３６から送信された物品ＩＤごとの通信開始時間ｄ１と通信終了時間ｄ２とを通信エリア別通信履歴データベース１１１に登録する（図３（Ａ）参照）。また、この処理装置１２は、送信部３６から送信された物品ＩＤごとの利用料ｄ３を通信エリア別課金データベース１１２に登録する（図３（Ｂ）参照）。このようにして、通信エリアＡにおける通信開始時間ｄ１、通信終了時間ｄ２および利用料ｄ３が、各データベース１１１，１１２内で物品ＩＤごとに管理されることになる。
【００２２】
そして、物流管理装置１は、図１に示した他のすべての通信エリアＢ〜Ｄにおける通信開始時間ｄ１、通信終了時間ｄ２および利用料ｄ３についても、それぞれの無線タグ用読取装置３から物品ＩＤごとに受信し、各データベース１１１，１１２内で管理する。これにより、すべての通信エリアＡ〜Ｄにおける通信開始時間ｄ１、通信終了時間ｄ２および利用料ｄ３を、それぞれ物品ＩＤに関連付けて管理することが可能となる。
【００２３】
[無線タグ用読取装置での他の課金処理の具体例]
ここで、無線タグ用読取装置３での他の課金処理の具体例を説明する。図６のＳ１２では、図４に示した課金処理部３４が、課金条件に含まれている定額料金を利用料ｄ３として課金処理を行う場合について説明したが、次のような課金処理を行うようにしてもよい。
【００２４】
例えば、課金処理部３４は、通信履歴情報保存部３３から読み出した通信開始時間ｄ１と通信終了時間ｄ２との時間差で示される通信時間に応じて利用料ｄ３を課金する。この場合、利用料ｄ３は、例えば、課金条件に含まれている定額料金に単位時間あたりの通信時間を加算して課金される。このようにすると、物品４の利用時間に着目して利用料ｄ３を個別具体的に設定することが可能となる。
また、課金処理部３４は、通信履歴情報保存部３３に保存されている通信開始時間ｄ１の保存回数、すなわち無線タグ５との通信を新たに開始した回数に応じて利用料ｄ３を課金してもよい。この場合、利用料ｄ３は、例えば、課金条件に含まれている定額料金がその都度加算される。このようにすると、物品４の利用回数に着目して利用料ｄ３を個別具体的に設定することが可能となる。
【００２５】
［物流管理装置での検索処理］
次に、物流管理装置１での検索処理について図７に基づいて説明する。
図７は、物流管理装置１における検索処理を示す処理手順である。ここでは、前記した通信開始時間ｄ１、通信終了時間ｄ２および利用料ｄ３についての検索をある物品ＩＤについて行う場合を例にして説明するが、この検索に限らない。例えば、通信開始時間ｄ１のみ、通信終了時間ｄ２のみ、あるいは利用料ｄ３のみの検索であってもよい。また、これらの情報を組み合わせた検索であってもよい。
【００２６】
まず、図１に示した監視用端末６が通信ネットワーク２を介して物流管理装置１にアクセスし、検索対象の物品ＩＤに関連付けられた通信履歴情報（通信開始時間ｄ１，通信終了時間ｄ２）および利用料ｄ３を要求する。そうすると、図２に示した物流管理装置１の処理装置１２は、監視用端末６から要求された検索対象の物品ＩＤを受信する（Ｓ２０）。続いて、処理装置１２は、Ｓ２０で受信した物品ＩＤの通信開始時間ｄ１および通信終了時間ｄ２を通信エリア別通信履歴データベース１１１から検索するとともに、その物品ＩＤの利用料ｄ３を通信エリア別課金データベース１１２から検索する（Ｓ２１）。検索では、処理装置１２は、物品ＩＤの通信開始時間ｄ１および通信終了時間ｄ２を通信エリアＡ〜Ｄの別に通信エリア別通信履歴データベース１１１から読み出す。また、処理装置１２は、物品ＩＤの利用料ｄ３を通信エリアＡ〜Ｄの別に通信エリア別課金データベース１１２から読み出す。
【００２７】
そして、処理装置１２は、Ｓ２１で検索した検索結果を通信ネットワーク２を介して監視用端末６に送信する（Ｓ２２）。検索結果は、通信エリアＡ〜Ｄごとに分類された通信開始時間ｄ１、通信終了時間ｄ２および利用料ｄ３である。これにより、監視用端末６では、通信エリアＡ〜Ｄごとに分類された通信開始時間ｄ１、通信終了時間ｄ２および利用料ｄ３が表示される。したがって、管理者は、ある物品４の提供ルートを確認したり、各利用者の利用料を徴収したりすることが可能となる。よって、物品４の物流管理を効率的に行うことができる。
【００２８】
なお、本発明は、前記した実施の形態に限定されない。物流管理装置１や無線タグ用読取装置３の構成（データ様式を含む。）は、既知の技術により種々の変更が可能である。例えば、物流管理装置１は、複数の処理装置１２を用いて分散処理を行うようにしてもよい。
また、物流管理装置１や無線タグ用読取装置３の処理手順も、既知の技術により種々の変更が可能である。
【図面の簡単な説明】
【００２９】
【図１】本発明の実施の形態に係る物流管理システムの構成を示すブロック図である。
【図２】図１の物流管理装置の構成を示すブロック図である。
【図３】図２の記憶装置のデータ様式を示す図であり、同図（Ａ）は、通信エリア別通信履歴データベースのデータ様式、同図（Ｂ）は、通信エリア別課金データベースのデータ様式を示す図である。
【図４】図１の無線タグ用読取装置の構成を示すブロック図である。
【図５】図１の通信エリアにおける物品の移動ルートを示す説明図である。
【図６】図４の無線タグ用読取装置における全体的な処理を示す処理手順である。
【図７】図１の物流管理装置における検索処理を示す処理手順である。
【符号の説明】
【００３０】
１      物流管理装置
３      無線タグ用読取装置
４      物品
５      無線タグ
６      監視用端末
１１    記憶装置
１２    処理装置
１１１  通信エリア別通信履歴データベース
１１２  通信エリア別課金データベース
【図１】
2006103846.tif 000003
【図２】
2006103846.tif 000004
【図３】
2006103846.tif 000005
【図４】
2006103846.tif 000006
【図５】
2006103846.tif 000007
【図６】
2006103846.tif 000008
【図７】
2006103846.tif 000009